(57)【要約】保護手袋は手袋の手のひら、親指、および指区域を形成する地糸を含む。地糸は手袋の内側の表面を形成する内側表面、および、手袋の外側の表面を形成する外側表面を有する。手袋の外側表面上に複数の強化区域を形成するために、添え糸が地糸の外側表面の一部に編み込まれる。強化区域は、地糸との関連において、例えば耐切創性の向上などの、少なくとも１つの実質的に強化された物理的特性を有する。【選択図】図１２
2017518446.tif 000002
【特許請求の範囲】
【請求項１】
（ａ）手のひら区域および複数の指区域と、
（ｂ）前記手のひら区域および前記複数の指区域を画定する地糸であって、前記地糸は手袋の内面を画定する内面、および前記手袋の外装面を画定する外面を有する地糸と、
（ｃ）前記手袋の前記外装面に形成される複数の強化区域であって、前記複数の強化区域は、前記地糸に関連する少なくとも１つの実質的に強化された物理的特徴を有する複数の強化区域と、を備えることを特徴とする手袋。
【請求項２】
前記強化区域は、前記手袋の外装面上の前記複数の指区域のうち少なくとも１つに、実質的に横方向に延在する、離隔した複数のリング区域を備えることを特徴とする請求項１に記載の手袋。
【請求項３】
離隔した前記複数のリング区域は、前記複数の指区域の少なくとも１つの外周周囲に延在する第１リング区域および第２リング区域であり、それらの間の間隔を画定することを特徴とする請求項２に記載の手袋。
【請求項４】
前記第１リング区域および前記第２リング区域は、それぞれ約６ｍｍの幅を有し、互いに約３ｍｍの間隔があけられていることを特徴とする請求項３に記載の手袋。
【請求項５】
前記複数の手袋区域は、手のひら区域、親指区域、人差し指区域、中指区域、薬指区域および小指区域を備えることを特徴とする請求項３に記載の手袋。
【請求項６】
離隔した前記複数のリング区域は、前記親指区域の外周周囲に延在する少なくとも２つの離隔したリング区域、および、前記人差し指区域の外周周囲に延在する少なくとも２つの離隔したリング区域を備えることを特徴とする請求項５に記載の手袋。
【請求項７】
前記強化区域は、前記地糸の外面の選択箇所に編み込まれる第２糸によって形成されることを特徴とする請求項２に記載の手袋。
【請求項８】
前記強化区域は強化された切断抵抗特性を提供し、前記第２糸は、超高分子量ポリエチレンおよび硬質粒子を充填したポリエチレン繊維から成る群から選択される少なくとも１つの材料を含み、硬質粒子は３より大きいモース硬度を有することを特徴とする請求項７に記載の手袋。
【請求項９】
前記地糸は
（ａ）繊維ガラスの第１撚り糸および超高分子量ポリエチレンの第２撚り糸を備える芯と、
（ｂ）前記芯の周囲に巻きつけられる少なくとも１つの被覆撚り糸と、
を備えることを特徴とする請求項８に記載の手袋。
【請求項１０】
前記少なくとも１つの被覆撚り糸は、前記芯の周囲に巻きつけられたテクスチャード加工ポリエステルの第１撚り糸と、前記芯および前記テクスチャード加工ポリエステルの第１撚り糸の周囲に巻き付けられたテクスチャード加工ポリエステルの第２撚り糸と、を備えることを特徴とする請求項９に記載の手袋。
【請求項１１】
前記第２糸は、フラットナイロンの撚り糸を備え、前記強化区域は強化された耐摩耗性を提供することを特徴とする請求項２に記載の手袋。
【請求項１２】
前記地糸は
（ａ）繊維ガラスの第１撚り糸、および、超高分子量ポリエチレンの第２撚り糸を備える芯と、
（ｂ）前記芯の周囲に巻きつけられたテクスチャード加工ポリエステルを備える少なくとも１つの被覆撚り糸と、を備えることを特徴とする請求項１１に記載の手袋。
【請求項１３】
前記強化区域は強化されたグリップ特性を提供し、前記第２糸は、ラテックスゴム、スパンデックスおよび極細繊維ポリエステルから成る群から選択された少なくとも１つの材料を含むことを特徴とする請求項２に記載の手袋。
【請求項１４】
前記地糸は
（ａ）繊維ガラスおよびフラットポリエステルの群から選択された第１芯撚り糸、および、超高分子量ポリエチレンおよびステンレス鋼線材の群から選択された第２芯撚り糸を備える芯と、
（ｂ）前記芯の周囲に巻き付けられた第１被覆撚り糸であって、前記第１被覆撚り糸はテクスチャード加工ポリエステルおよびステンレス鋼線材の群から選択され、前記芯の周囲に巻き付けられたテクスチャード加工ポリエステルを備える、第１被覆撚り糸と、
（ｃ）前記第１被覆撚り糸および前記芯の周囲に巻きつけられるテクスチャード加工ポリエステルを備える第２被覆撚り糸と、
を備えることを特徴とする請求項１３に記載の手袋
【請求項１５】
（ａ）手のひら区域および複数の指区域と、
（ｂ）前記手のひら区域および前記複数の指区域を画定する地糸であって、前記地糸は手袋の内面を画定する内面、および、手袋の外装面を画定する外面を有する地糸と、
（ｃ）前記手袋の外装面に形成されるとともに、前記複数の指区域の少なくとも１つに実質的に横方向に延在する、離隔した複数の強化区域であって、前記強化区域は、前記地糸に関連する少なくとも１つの実質的に強化された物理的特性を有する強化区域と、
を備える保護手袋。
【請求項１６】
離隔した前記複数の強化区域は、前記複数の指区域の少なくとも１つの外周に沿って延在する第１リング区域および第２リング区域を備え、それらの間に間隔を画定することを特徴とする請求項１５に記載の手袋。
【請求項１７】
前記第１リング区域および前記第２リング区域は、それぞれ約６ｍｍの幅を有し、互いに約３ｍｍの間隔があけられていることを特徴とする請求項１６に記載の手袋。
【請求項１８】
前記複数の指区域は、手のひら区域と、親指区域、人差し指区域、中指区域、薬指区域および小指区域とを備え、離隔した前記複数のリング区域は、前記親指区域の外周に沿って延在する少なくとも２つの離隔したリング区域と、前記人差し指区域の外周に沿って延在する少なくとも２つの離隔したリング区域とを備えることを特徴とする請求項１５に記載の手袋。
【請求項１９】
前記強化区域は、前記地糸の外面の選択箇所に編み込まれた第２糸によって形成されることを特徴とする請求項１８に記載の手袋。
【請求項２０】
（ａ）手のひら区域および複数の指区域を画定する地糸であって、前記地糸は前記手袋の内面を画定する内面、および手袋の外装面を画定する外面を有する地糸と、
（ｂ）前記地糸の外面の一部に編み込まれた第１添え糸、および、前記手袋の外装面に形成され、少なくとも１つの指区域の外周周囲に延在する離隔した複数の強化リング区域を形成するための、前記第１添え糸に編み込まれる第２添え糸を備え、
前記強化リング区域は前記地糸に関連する少なくとも１つの実質的に強化された物理的特性を有することを特徴とする保護手袋。
【発明の詳細な説明】
【技術分野】
【０００１】
［関連出願の相互参照］
本出願は、２０１５年３月１３日に出願された米国特許出願１４／６５７，０８１、および、２０１４年６月５日に出願された米国特許出願１４／２９６，６１２の優先権を主張する。前述のいずれの出願も参照することによりここに含まれる。
【０００２】
本発明は、例えばその外面（外装表面）に形成された強化特性を有する区域（セクション）を備える手袋のようなファブリック（繊維、織物）物品に関する。強化区域とは、手袋の他の部位と比較して、例えば切断抵抗または耐摩耗性といった優れた物理的特性を有する手袋の外面上の領域であってもよい。
【背景技術】
【０００３】
多くの場合、１つの要素で構成される手袋（Ｓｉｎｇｌｅ  ｇｌｏｖｅ）は、異なる特性を有する様々な区域で構成されていることが望ましい。例えば、安全手袋は、着用者にとって快適な比較的柔らかい糸を備える内面層、および、切断抵抗（耐切創性）を備えた比較的固い糸を備える外装面を有していることが多い。プレーティング（ｐｌａｉｔｉｎｇ、「ｐｌａｔｉｎｇ」としても知られる、添え糸編）は、このような手袋を製造するのに使用されている工程である。プレーティングは異なる特性または特徴を有する２つの糸から生地を作る工程である。地糸（ｐｒｉｍａｒｙ  ｙａｒｎ）が生地の外側（または表側）に配置され、添え糸（ｐｌａｉｔｉｎｇ  ｙａｒｎ）が生地の内側（または裏側）に配置される。
【０００４】
編地（ｐｌａｉｔｅｄ  ｆａｂｒｉｃｓ）で構成される先行技術の手袋には、生地の内側（裏側）に編み込まれる強化された特性の糸が必要とされている。外見的または機能的必須条件により、添え糸が手袋の外側に面することが望ましい場合、手袋を反転（裏表を逆に）しなければならない。裏表の反転は、手動または特殊な機械によって行われる、分離した、時間がかかる作業である。
【発明の概要】
【発明が解決しようとする課題】
【０００５】
したがって、本発明の１つの目的は、編地から構成された手袋を提供することであり、ここでは添え糸が生地の外装面に編み込まれている。本発明の別の目的は、例えば、その外装面に形成された強化特性を有する区域を備えた手袋のような生地物品を提供することである。強化区域とは、手袋の他の部分と比較して、例えば切断抵抗または耐摩耗性といった優れた物理的特性を有する手袋の外装面上の領域であってもよい。本発明のこれらの目的、および他の目的は、以下に説明される発明の様々な実施形態によって達成される。
【課題を解決するための手段】
【０００６】
本発明の１つの実施形態は、手のひら区域、ならびに、親指区域、人差し指区域、中指区域、薬指区域および小指区域を構築することに使用される地糸を備える保護手袋を含む。地糸の内側表面は手袋の内面を画定するものであり、地糸の外面は手袋の外装面（外面）を画定するものである。強化区域は手袋の外装面上に形成されるとともに、強化区域は、地糸と比較して、少なくとも１つの、実質的に強化された物理的特性を有している。
【０００７】
本発明の別の実施形態によれば、強化区域は地糸の外面の一部に編み込まれた第２糸（ｓｅｃｏｎｄａｒｙ  ｙａｒｎ）によって形成される。
【０００８】
本発明の別の実施形態によれば、強化区域は、強化された切断抵抗を提供し、第２糸は、超高分子量ポリエチレンおよび硬質粒子を充填したポリエチレン繊維（ｈａｒｄ  ｐａｒｔｉｃｌｅ−ｆｉｌｌｅｄ  ｐｏｌｙｅｔｈｙｌｅｎｅ  ｆｉｂｅｒ）から成る群から選択される少なくとも１つの材料を含み、硬質粒子は３より大きいモース硬度を有する。
【０００９】
本発明の別の実施形態によれば、強化区域は人差し指区域、中指区域、薬指区域および小指区域の一部に形成される。
【００１０】
本発明の別の実施形態によれば、強化区域は手のひら区域、親指区域、人差し指区域、および中指区域に形成される。
【００１１】
本発明の別の実施形態によれば、地糸は、繊維ガラスの第１撚り糸および高分子量ポリエチレンの第２撚り糸を備える成る芯（ｃｏｒｅ）と、芯の周囲に巻き付けられた少なくとも１つの被覆撚り糸（ｃｏｖｅｒｉｎｇ  ｓｔｒａｎｄ）と、を備える。
【００１２】
本発明の別の実施形態によれば、テクスチャード加工ポリエステル（ｔｅｘｔｕｒｅｄ  ｐｏｌｙｅｓｔｅｒ）の第１被覆撚り糸が芯の周囲に巻きつけられ、テクスチャード加工ポリエステルの第２被覆撚り糸が、芯およびテクスチャード加工ポリエステルの第１撚り糸の周囲に巻きつけられる。
【００１３】
本発明の別の実施形態によれば、強化区域は、強化された耐摩耗性を提供し、第２糸はフラットナイロン（ｆｌａｔ  ｎｙｌｏｎ）の撚り糸を備える。
【００１４】
本発明の別の実施形態によれば、地糸は、繊維ガラスの第１撚り糸および高分子量ポリエチレンの第２撚り糸を備える芯、および、芯の周囲に巻き付けられたテクスチャード加工ポリエステルを備える少なくとも１つの被覆撚り糸を備える。
【００１５】
本発明の別の実施形態によれば、強化区域は強化されたグリップ（握り）特性を備え、第２糸はラテックスゴム、スパンデックス、および／または極細繊維ポリエステルを備えてなる。
【００１６】
本発明の別の実施形態によれば、地糸は、繊維ガラスおよび／またはフラットポリエステルを含む第１芯撚り糸、および、超高分子量ポリエチレンおよび／またはステンレス鋼線材を含む第２芯撚り糸を備える芯で構成される。
【００１７】
本発明の別の実施形態によれば、テクスチャード加工ポリエステルおよび／またはステンレス鋼線材を備える第１被覆撚り糸が芯の周囲に巻きつけられ、テクスチャード加工ポリエステルから構成された第２被覆撚り糸が第１被覆撚り糸および芯の周囲に巻きつけられる。
【００１８】
本発明の別の実施形態によれば、強化区域は実質的に長方形であり、手袋の手のひら区域、親指区域、および指区域に対して横方向に延在している。
【００１９】
本発明の別の実施形態によれば、第２糸は再帰反射材料を含み、その結果、強化区域は手袋の強化された可視性を備える。
【００２０】
本発明の別の実施形態によれば、地糸は、繊維ガラスの第１撚り糸および超高分子量ポリエチレンの第２撚り糸を備える芯と、芯の周囲に巻き付けられたテクスチャード加工ポリエステルを含む少なくとも１つの被覆撚り糸とを備える。
【００２１】
本発明の別の実施形態によれば、第２糸は導電性材料を含み、手袋の着用者は、強化区域で電子機器のタッチスクリーンに接触することにより、タッチスクリーンを操作することができる。
【００２２】
本発明の別の実施形態によれば、地糸は、繊維ガラスを含む第１芯撚り糸、および、超高分子量ポリエチレンを含む第２芯撚り糸を備える芯で構成される。テクスチャード加工ナイロンを含む第１被覆撚り糸が芯周囲に巻きつけられ、テクスチャード加工ナイロンを含む第２被覆撚り糸は、第１被覆撚り糸および芯の周囲に巻きつけられる。
【００２３】
本発明の別の実施形態によれば、強化区域は親指区域、人差し指区域、および中指区域の先端に位置する。
【００２４】
本発明の別の実施形態に従った保護手袋は、手のひら区域、親指区域、人差し指区域、中指区域、薬指区域および小指区域を画定する地糸を備える。地糸の内側表面は手袋の内側の表面を画定し、外側表面は手袋の外側の表面を画定する。手袋の外側表面に形成される複数の強化区域を形成するために、第１添え糸が地糸の外側表面の一部に編み込まれ、第２添え糸が第１添え糸に編み込まれる。強化区域は、地糸との関連において少なくとも１つの実質的に強化された物理的特性を有する。
【００２５】
本発明の別の実施形態によれば、第１添え糸は、スパンデックスの芯撚り糸と、該芯撚り糸の周囲に巻き付けられたポリエステルの第１被覆撚り糸と、第１被覆撚り糸および芯撚り糸の周囲に巻き付けられたナイロンの第２撚り糸とを備える。
【００２６】
本発明の別の実施形態によれば、保護手袋は手のひら区域、および複数の指区域を備える。地糸は、手のひら区域および指区域を画定するとともに、手袋の内側の表面を画定する内側表面、および、手袋の外側の表面を画定する外側表面を有する。強化区域は間隔を空けて手袋の外側表面に形成され、少なくとも１つの指区域に、実質的に横方向に延在する。各強化区域は、地糸との関係において少なくとも１つの実質的に強化された物理的特性を有する。
【００２７】
本発明の別の実施形態によれば、離隔した複数の強化区域は、少なくとも１つの指区域の外周周囲に延在する第１および第２リング区域を備える。リング区域はそれらの間に空いた間隔を画定する。
【００２８】
本発明の別の実施形態によれば、第１リング区域および第２リング区域はそれぞれ幅約６ｍｍであり、互いに約３ｍｍの間隔で離れている。
【００２９】
本発明の別の実施形態によれば、指区域は親指区域、人差し指区域、中指区域、薬指区域および小指区域を備える。離隔したリング区域は、親指区域の外周の周囲に延在する、間隔が空いた少なくとも２つのリング区域、および、人差し指区域の外周の周囲に延在する離隔した少なくとも２つのリング区域を備える。
【００３０】
本発明の別の実施形態によれば、強化区域は、地糸の外面の選択部分に編み込まれた第２糸によって形成される。
【００３１】
本発明の別の実施形態によれば、強化区域は、強化切断耐性を提供し、第２糸は超高分子量ポリエチレンおよび／または硬質粒子を充填したポリエチレン繊維を含み、硬質粒子は３より大きいモース硬度を有する。
【００３２】
本発明の別の実施形態によれば、地糸は、繊維ガラスの第１撚り糸、および超高分子量ポリエチレンの第２撚り糸を含む芯と、該芯の周囲に巻き付けられた少なくとも１つの被覆撚り糸とを備える。
【００３３】
本発明の別の実施形態によれば、被覆撚り糸は、芯の周囲に巻きつけられたテクスチャード加工ポリエステルの第１撚り糸と、芯およびテクスチャード加工ポリエステルの第１撚り糸の周囲に巻き付けられたテクスチャード加工ポリエステルの第２撚り糸とを備える。
【図面の簡単な説明】
【００３４】
【図１】本発明の好適な実施形態に従った、糸の概略図である。
【００３５】
【図２】本発明の好適な実施形態に従った、地糸に編み込まれた添え糸の拡大された概略図である。
【００３６】
【図３】本発明の好適な実施形態に従った、３層の繊維構造の拡大された概略図である。
【００３７】
【図４】本発明の好適な実施形態に従った、中間添え糸の拡大された概略図である。
【００３８】
【図５】本発明の好適な実施形態に従った、保護手袋の概略図である。
【００３９】
【図６】図５の保護手袋の別の概略図である。
【００４０】
【図７】本発明の別の好適な実施形態に従った、保護手袋の概略図である。
【００４１】
【図８】図７の保護手袋の別の概略図である。
【００４２】
【図９】本発明の別の好適な実施形態に従った、保護手袋の概略図である。
【００４３】
【図１０】本発明の別の好適な実施形態に従った、保護手袋の概略図である。
【００４４】
【図１１】本発明の別の好適な実施形態に従った、保護手袋の概略図である。
【００４５】
【図１２】本発明の別の好適な実施形態に従った、保護手袋の概略図である。
【００４６】
【図１３】図１２の保護手袋の別の概略図である。
【００４７】
【図１４】本発明の別の好適な実施形態に従った、保護手袋の概略図である。
【００４８】
【図１５】図１５の保護手袋の別の概略図である。
【発明を実施するための形態】
【００４９】
本発明の好適な実施形態に従った保護手袋が、図１から図６に図示され、全般に符号１０で示されている。手袋１０は、内側地糸（ｉｎｎｅｒ  ｐｒｉｍａｒｙ  ｙａｒｎ）１１、および、地糸１１に編み込まれる切断抵抗特性を有する添え糸２１を備える。図１に示されるように、内側地糸１１は、４５０（１００デニール）繊維ガラスの第１芯撚り糸１２、４００デニールの超高分子量ポリエチレン（ＵＨＭＷＰＥ）から構成された第２芯撚り糸１４、芯撚り糸１２、１４の周囲に巻き付けられた１５０デニールのテクスチャード加工ポリエステルの第１被覆撚り糸１６、および、第１被覆撚り糸１６に巻き付けられた１５０デニールのテクスチャード加工ポリエステルの第２被覆撚り糸１８から構成され得る。図１に示されるように、第１被覆撚り糸１６がＳ撚りで巻きつけられ、他方、第２被覆撚り糸がＺ撚りで巻きつけられている。あるいは、第１被覆撚り糸１６がＺ撚りで巻きつけられ、第２被覆撚り糸がＳ撚りで巻きつけられてもよい。
【００５０】
図５および図６に示されるように、手袋１０は、一般的に、第１手のひら区域５０、第１手のひら区域５０の反対側の第２手のひら区域５１、親指区域６１、人差し指区域６２、中指区域６３、薬指区域６４および小指区域６５から構成され、それらは内側地糸層１１から形成される。
【００５１】
図２に示されるように、４００デニールの基準のＵＨＭＷＰＥの撚り糸を含む添え糸２１が地糸１１に編み込まれている。強化された切断防護区域２０を、一般に切創（切断）の危険性が極めて高い手袋１０の外装（外面）領域に形成するために、添え糸２１が内側地糸層１１の外側表面の特定の領域に編み込まれてもよい。図５および図６に示されるように、強化された切断防護区域２０が、指先を除いた人差し指区域６２、中指区域６３、薬指区域６４および小指区域６５に形成されてもよい。手袋が両方の手で使用でき、右手と左手の両方で着用可能となるように、強化区域２０は手袋１０の両側に形成される。その代わりに、図７および図８に示されるように、強化区域２０は手のひら区域５０、５１、親指区域６１、人差し指区域６２および中指区域６３に形成されてもよい。この構成は、高危険区域で使用される耐切創性手袋に特に適している。添え糸２１で手袋全体を編み込むよりも、最も必要とされる手袋１０の特定領域のみに強化区域２０を配置することによって、手袋１０はより軽量となるとともに、より高い柔軟性を有することが可能になる。
【００５２】
添え糸２１は、特定の手袋領域における生地の外面に編み込むように改良された従来の手袋編機を使用して、地糸１１の外面の選択された領域に編み込まれてもよい。添え糸２１を手袋１０の外面に直接編むことによって、添え糸２１を手袋の外装に配するために裏返しにする必要がなく、製造工程からこのような時間がかかる工程を除外することができる。
【００５３】
あるいは、保護手袋１０は、２つの添え糸２１、３１を使用して３層で編まれてもよい。図３に示されるように、スパンデックスから構成された中間添え糸３１は、内側地糸１１に編み込まれてもよい。図３に示されるように、４００デニールのＵＨＭＷＰＥから構成された外側添え糸２１は中間添え糸３１に編み込まれる。図４に示されるように、中間添え糸３１は、４０デニールのスパンデックスの芯撚り糸３２、２０／１ポリエステルから構成された第１被覆撚り糸３４、および、４０デニールのナイロンから構成された第２被覆撚り糸３６で構成されてもよい。中間添え糸３１は、手袋１０の、より高い柔軟性、より高い弾性、および、ぴったりフィットする感触をもたらす。あるいは、中間添え糸３１はＨＹＤＲＯＴＥＣＨなどのモイスチャーウィッキング糸、またはＳＴＡ−ＣＯＯＬまたはＳＯＲＢＴＥＫ（登録商標）などの加工繊維（ｔｒｅａｔｅｄ  ｆｉｂｅｒ）で構成されうる。
【００５４】
別の実施形態では、内側地糸１１の第１芯撚り糸１２は１００デニールの玄武岩繊維でもよく、第２芯撚り糸１４は２００デニールのＵＨＭＷＰＥでもよく、第１被覆撚り糸１６は７０デニールのテクスチャード加工ポリエステルでもよく、第２被覆撚り糸１８は７０デニールのテクスチャード加工ポリエステルでもよい。添え糸２１は４００デニールの硬質粒子を充填したポリエチレン繊維でもよく、この硬質粒子は３より大きいモース硬度を有するポリマー粒子または鉱物粒子でもよい。
【００５５】
別の実施形態では、内側地糸１１の第１芯撚り糸１２はＤ４５０繊維ガラスでもよく、第２芯撚り糸１４は２００デニールのＵＨＭＷＰＥでもよく、第１被覆撚り糸１６は７０デニールのテクスチャード加工ポリエステルでもよく、第２被覆撚り糸１８は７０デニールのポリエステルでもよい。添え糸２１は２００デニールの硬質粒子を充填したポリエチレン繊維で構成されてもよく、硬質粒子は３より大きいモース硬度を有するポリマー粒子または鉱物粒子でもよい。
【００５６】
別の実施形態では、地糸１１の２つの端部が同一のヤーンフィーダー（給糸装置）を介して一緒に編まれ、添え糸２１がそのなかに編み込まれてもよい。添え糸２１は、例えばデュポン社のＫＥＶＬＡＲ（登録商標）やテイジン社のＴＷＡＲＯＮ（登録商標）といった２０／１アラミド繊維、０．００１６ステンレス鋼の撚り糸、ならびに、アラミド繊維およびステンレス鋼の周囲に巻きつけられる２０／１ポリエステルの被覆撚り糸で構成されてもよい。
【００５７】
本発明の別の実施形態では、保護手袋１０は強化された耐摩耗性の強化区域２０を有する。本実施形態では、手袋１０は、Ｄ４５０繊維ガラスの第１芯撚り糸１２、２００デニールのＵＨＭＷＰＥの第２芯撚り糸１４、７０デニールのテクスチャード加工ポリエステルの第１被覆撚り糸１６、および、７０デニールのテクスチャード加工ポリエステルの第２被覆撚り糸１８から成る内側地糸１１を有する。図３に示されるように、添え糸２１は２２０デニールのフラットナイロンの撚り糸を備える。
【００５８】
図５、図６に示されるように、手袋１０の外側に強化された耐摩耗区域２０を形成するために、添え糸２１が内側地糸層１１上の特定の領域に編み込まれてもよい。図５、図６に示されるように、強化された耐摩耗区域２０が、指先を除いた人差し指区域６２、中指区域６３、薬指区域６４および小指区域６５に形成されてもよい。手袋が両方の手で使用でき、右手と左手の両方で着用可能となるように、強化された耐摩耗区域２０は手袋１０の両側に形成される。
【００５９】
あるいは、強化された耐摩耗区域２０を有する保護手袋１０は、２つの添え糸２１、３１を使用して３層に編まれてもよい。図５に示されるように、スパンデックスから成る中間添え糸３１が、内側地糸１１に編み込まれてもよい。２２０デニールのフラットナイロンから成る外側添え糸２１が、中間添え糸３１に編み込まれる。図６に示されるように、中間添え糸３１は、４０デニールのスパンデックスの芯撚り糸３２、２０／１ポリエステルから構成された第１被覆撚り糸３４、および、４０デニールのナイロンから構成された第２被覆撚り糸３６で構成されてもよい。あるいは、中間添え糸３１はＨＹＤＲＯＴＥＣＨなどのモイスチャーウィッキング糸、またはＳＴＡ−ＣＯＯＬもしくはＳＯＲＢＴＥＫ（登録商標）などの加工繊維で構成されてもよい。
【００６０】
代替的な実施形態では、地糸１１は１５０デニールの玄武岩繊維の第１芯撚り糸１２、ＵＨＭＷＰＥの第２芯撚り糸１４、７０デニールのテクスチャード加工ポリエステルの第１被覆糸、および７０デニールのテクスチャード加工ポリエステルの第２被覆糸で構成されてもよい。添え糸はＰＴＦＥで加工された２０／１ポリエステルから成る。
【００６１】
別の代替的な実施形態では、地糸１１は、２２０デニールのフラットポリエステルの第１芯撚り糸１２、０．００２のステンレス鋼線材の第２芯撚り糸１４、０．００２のステンレス鋼線材の第１被覆撚り糸１６、および、３／１５０デニールのテクスチャード加工ポリエステルの第２被覆撚り糸１８から構成され得る。添え糸２１は２２０デニールのフラットナイロンを含む。
【００６２】
本発明の別の好適な実施形態によれば、保護手袋１０は、改良されたグリップ特性を有する強化区域２０を有する。本実施形態の内側地糸１１は、Ｄ４５０繊維ガラスの第１芯撚り糸１２、２００デニールのＵＨＭＷＰＥから構成された第２芯撚り糸１４、７０デニールのテクスチャード加工ポリエステルから構成された第１被覆糸１６、および、７０デニールのテクスチャード加工ポリエステルから構成された第２被覆糸１８で構成されてもよい。添え糸２１は５０Ｇ（０．０２５ｍｍ）のラテックスゴムの撚り糸を含む。
【００６３】
手袋１０の外側に強化グリップ区域２０を形成するために、添え糸２１が、内側地糸層１１の特定の領域に編み込まれる。図９に示されるように、強化区域２０は手のひら区域５０、５１、親指区域６１、指区域６２から６５にわたって横方向に延在する、実質的に長方形の区域であってもよい。手袋が両方の手で使用でき、右手と左手の両方で着用可能となるように、強グリップ区域２０は手袋１０の両側に形成される。
【００６４】
あるいは、強化グリップ区域２０を有する手袋１０は、２つの添え糸２１、３１を使用して３層に編まれてもよい。図５に示されるように、スパンデックスから成る中間添え糸３１が、内側地糸１１に編み込まれてもよい。５０Ｇ（０．０２５ｍｍ）のラテックスゴムから成る外側添え糸２１が、中間添え糸３１に編み込まれる。図６に示されるように、中間添え糸３１は、４０デニールのスパンデックスの芯撚り糸３２、２０／１ポリエステルから成る第１被覆撚り糸３４、および、４０デニールのナイロンから成る第２被覆撚り糸３６で構成されてもよい。その代わりに、中間添え糸３１はＨＹＤＲＯＴＥＣＨなどのモイスチャーウィッキング糸、またはＳＴＡ−ＣＯＯＬまたはＳＯＲＢＴＥＫ（登録商標）などの加工繊維で構成されてもよい。
【００６５】
代替的な実施形態では、地糸１１は、２２０デニールのフラットポリエステルの第１芯撚り糸１２、０．００２ステンレス鋼線材の第２芯撚り糸１４、０．００２ステンレス鋼線材の第１被覆撚り糸１６、および、２２０デニールのテクスチャード加工ポリエステルの第２被覆撚り糸１８から構成されている。添え糸２１は４２０デニールのスパンデックスの撚り糸から構成される。
【００６６】
別の代替的な実施形態では、地糸１１は、Ｄ２２５繊維ガラスの第１芯撚り糸１２、４００デニールのＵＨＭＷＰＥの第２芯撚り糸１４、１５０デニールのテクスチャード加工ポリエステルの第１被覆撚り糸１６、および、５０デニールのテクスチャード加工ポリエステルの第２被覆撚り糸１８を備える。添え糸２１は１５０デニールの超極細ポリエステルの撚糸から構成されている。
【００６７】
本発明の別の好適な実施形態によれば、手袋１０は、手袋１０の強化された可視性を提供する、強化外装区域２０を有してもよい。強化された可視性を有する保護手袋１０は、Ｄ４５０繊維ガラスの第１芯撚り糸、２２０デニールのＵＨＭＷＰＥの第２芯撚り糸１４、７０デニールのテクスチャード加工ポリエステルから成る第１被覆撚り糸１６、および、７０デニールのテクスチャード加工ポリエステルから成る第２被覆撚り糸１８から構成された内側地糸１１を有する。添え糸２１は、Ｍｅｔｌｏｎ  Ｃｏｒｐ社が販売する２Ｐ２  Ｒｅｔｒｏｇｌｏスリットフィルムのような再帰反射材料を含む。
【００６８】
手袋の外装上に形成される強化された可視区域を形成するために、添え糸２１が、内側地糸１１に編み込まれる。図１０に示されるように、強化された可視区域２０は、手のひら区域５０、５１、親指区域６１、指区域６２から６５にわたって延在する、実質的に長方形の区域であってもよい。手袋が両方の手で使用でき、右手と左手の両方で着用可能となるように、強化された可視区域２０は手袋１０の両側に形成される。
【００６９】
あるいは、強化された可視区域２０を有する手袋１０は、２つの添え糸２１、３１を使用して３層に編まれてもよい。図５に示されるように、スパンデックスから構成された中間添え糸３１が、内側地糸１１に編み込まれてもよい。再帰反射材料から構成された外側添え糸２１が、中間添え糸２１に編み込まれる。図６に示されるように、中間添え糸３１は、４０デニールのスパンデックスの芯撚り糸３２、２０／１ポリエステルから成る第１被覆撚り糸３４、および、４０デニールのナイロンから成る第２被覆撚り糸３６で構成されてもよい。あるいは、中間添え糸３１は、ＨＹＤＲＯＴＥＣＨなどのモイスチャーウィッキング糸、または、ＳＴＡ−ＣＯＯＬもしくはＳＯＲＢＴＥＫ（登録商標）などのテクスチャード加工繊維で構成されてもよい。
【００７０】
本発明の別の好適な実施形態によれば、手袋１０は、電子タッチスクリーン装置の使用に適した、強化された外装区域２０を有してもよい。この実施形態では、強化された外装区域２０は、手袋の着用者が強化区域２０で電子機器のタッチスクリーンに接触することにより、手袋を着用したまま電子機器のタッチスクリーンを操作することを可能にする導電性材料を含む。このように、着用者は、手袋１０を手にはめたまま、手袋１０を脱がずにタッチスクリーン装置を使用することができる。この実施形態は、棚卸や注文処理にかかる通信などのために電子タッチスクリーン装置を操作する必要がある、職場で耐切創性手袋を着用する人にとって特に有益である。本実施形態の内側地糸１１は、Ｄ４５０繊維ガラスの第１芯撚り糸１２、２２０デニールのＵＨＭＷＰＥの第２芯撚り糸１４、７０デニールのテクスチャード加工ナイロンの第１被覆撚り糸１６、および、７０デニールのテクスチャード加工ナイロンの第２被覆撚り糸１８で構成されてもよい。添え糸２１は、Ｎｏｂｌｅ  Ｔｅｃｈｎｏｌｏｇｉｅｓ社が販売するＸ−ＳＴＡＴＩＣ（登録商標）繊維などの１００デニールの銀被覆導電性糸で構成されてもよい。
【００７１】
手袋１０の外側に強化されたタッチスクリーン互換区域２０を形成するために、添え糸２１が内側地糸層１１上の特定領域に編み込まれてもよい。図１１に示されるように、親指６１、人差し指６２および中指６３の指先（未節骨）に形成されてもよい。手袋が両方の手で使用でき、右手と左手の両方で着用可能となるように、タッチスクリーン互換区域２０が親指６１、人差し指６２および中指６３の両側に形成される。
【００７２】
あるいは、タッチスクリーン互換区域２０を有する手袋１０は、２つの添え糸２１、３１を使用して３層に編まれてもよい。図５に示されるように、スパンデックスから構成された中間添え糸３１が、内側地糸１１に編み込まれてもよい。導電性材料から構成された外側添え糸２１が、中間添え糸３１に編み込まれる。図６に示されるように、中間添え糸３１は、４０デニールのスパンデックスの芯撚り糸３２、２０／１ポリエステルから構成された第１被覆撚り糸３４、および、４０デニールのナイロンから構成された第２被覆撚り糸３６で構成されてもよい。
【００７３】
代替的な実施形態では、地糸１１はＤ２２５繊維ガラスの第１芯撚り糸１２、４００デニールのＵＨＭＷＰＥの第２芯撚り糸１４、１５０デニールのテクスチャード加工ポリエステルの第１被覆撚り糸１６、および１５０デニールのテクスチャード加工ポリエステルの第２被覆撚り糸１８で構成されてもよい。添え糸２１は、日本蚕毛染色株式会社が販売するＴＨＵＮＤＥＲＯＮ（商標登録）繊維などの導電性銅付着ナイロン（ｃｏｐｐｅｒ−ｓｕｆｆｕｓｅｄ  ｎｙｌｏｎ）で構成されていてもよい。
【００７４】
本発明の別の好適な実施形態に従った保護手袋が、図１２および図１３に図示され、符号１００として示されている。手袋１００は、内側地糸１１１、および地糸１１１の外側表面に形成された、離隔した複数の強化区域１２０から構成される。強化区域は間隔１０２で近位に離隔して配置される。各強化区域１２０の間に存在するのは、地糸のみを有する間隔１０２である。このように、強化区域１２０は交互の「ヒンジ」状の構造を有している。
【００７５】
図１２および図１３に示されるように、手袋１００は、一般的に、第１手のひら区域１５０、第１手のひら区域１５０の反対側の第２手のひら区域１５１、親指区域１６１、親指区域１６１、人差し指区域１６２、中指区域１６３、薬指区域１６４および小指区域１６５から構成され、これらは内側地糸１１１から形成される。
【００７６】
内側地糸１１１は、前述の実施形態の地糸１１の構成のうちのいずれか１つを有してもよい。強化区域１２０は、コンピュータ作動のジャカード織機を使用して、内側地糸層１１１の外側表面の、近位に離隔した領域で、添え糸を編み込むことによって形成されてもよい。強化区域１２０の間の間隔１０２には、添え糸は編み込まれない。強化区域１２０の添え糸は、前述の実施形態の添え糸２１のいずれか１つの構造を有してもよい。あるいは、前述の実施形態を参照して説明されているように、２つの添え糸を使用して３層に編んでもよい。
【００７７】
図１２および図１３に示されるように、強化区域１２０は長方形でもよく、親指区域１６１および人差し指区域１６２の長さに対して実質的に垂直方向に延びてもよい。図１２および図１３に示されるように、強化区域１２０は親指区域１６１および人差し指区域１６２の外周周囲に横方向に延在してもよい。各強化区域１２０の間に存在するのは、地糸１１１のみを有する間隔１０２である。あるいは、他の指区域１６３、１６４、１６５のいずれか１つまたは複数に強化区域１２０が配置されてもよい。さらに別の代替的な実施形態では、１つまたは複数の強化区域１２０が、手のひら区域１５０、１５１の周囲に延在してもよい。
【００７８】
強化区域１２０は、強化区域１２０を形成するために使用される添え糸に応じて、強化された切断抵抗特性、強化された耐摩耗性および／または強化されたグリップ特性を備えることが可能である。図１２および図１３に示されるように、強化区域１２０が、強化された切断抵抗特性および／または強化された耐摩耗性を備えた添え糸から成る実施形態において、人差し指区域１６２の外周周囲に延在する５つの強化区域１２０、および、親指区域１６１の周囲に延在する４つの強化区域１２０が存在してもよい。上記は、一般に切創の危険性にさらされる領域において着用者を保護する。その代わりに、手袋１００が異なる数の強化区域１２０を有してもよい。また、強化区域１２０が、追加的に指区域１６３、１６４、１６５に配置されてもよい。
【００７９】
強化区域１２０は、各強化区域１２０の間の、（強化区域が）編み込まれていない間隔１０２との近位に間隔を空けられて整列されることにより、ヒンジ状構造を備える。上記により、手袋１００は、強化された切断抵抗特性および／または耐摩耗性を備えつつ、優れた柔軟性を備えることが可能となる。このことは、親指区域１６１および人差し指区域１６２において特に重要である。
【００８０】
好適な実施形態において、各強化区域１２０は幅約６ｍｍでもよい。また、各強化区域１２０の間の間隔１０２は約３ｍｍでもよい。内側地糸層１１１の生地厚さは約１．０４１４ｍｍでもよく、各強化区域１２０の生地厚さは約１．２７０ｍｍでもよい。
【００８１】
本発明の別の好適な実施形態に従った保護手袋が図１４および図１５に図示されており、全般に符号２００で示されている。手袋２００は、内側地糸２１１、および、地糸２１１の外側表面に形成された、複数の比較的小さな、間隔があけられた強化区域２２０から構成されている。強化区域２２０は近位に形成された間隔２０１によって配置されている。強化区域２２０の間の空間２０１は、地糸２１１のみから構成されている。このように、強化区域１２０は交互の「減速バンプ（防止帯）」状構造を有する。
【００８２】
図１４および図１５に示されるように、手袋２００は、一般的に、第１手のひら区域２５０、第１手のひら区域２５０の反対側の第２手のひら区域２５１、親指区域２６１、人差し指区域２６２、中指区域２６３、薬指区域２６４および小指区域２６５から構成され、それらは内側地糸２１１から形成される。
【００８３】
内側地糸２１１は、前述の実施形態の地糸１１のいずれか１つの構造を有してもよい。内側地糸層２１１の外側表面に、近位に間隔を空けられた領域で、添え糸を編み込むことによって、強化区域２２０が形成されてもよい。強化区域２２０の間の間隔２０１には添え糸が編み込まれていない。強化区域２２０の地糸は前述の実施形態１０の添え糸２１の構造のうち、いずれか１つを有してもよい。あるいは、強化区域２２０は、前述の実施形態を参照して説明されるように、２つの添え糸を使用して３層に編んでもよい。
【００８４】
強化区域２２０は長方形でもよく、また、親指区域２６１および人差し指区域２６２に長手方向に延在してもよい。図１４および図１５に示されるように、強化区域２２０は、親指区域２６１および人差し指区域２６２の外周周囲に横方向に延在する、複数の強化リング２２２を形成するように並べられてもよい。各リング２２２の間には、地糸２１１のみが編み込まれ、添え糸が編み込まれていない、空間があけられた間隔２０２が存在する。あるいは、他の指区域２６３、２６４、２６５のいずれか１つまたは複数に強化リング２２２が存在してもよい。さらに別の代替的な実施形態では、１つまたは複数の強化リング２２２が手のひら区域２５０、２５１の周囲に延在してもよい。
【００８５】
強化区域２２０は、強化区域２２０を形成するために使用される添え糸に応じて、強化された切断抵抗特性、強化された耐摩耗性および／または強化されたグリップ特性を備えることが可能である。図１４および図１５に示されるように、強化区域２２０が強化された切断抵抗特性および／または強化された耐摩耗性を備えた添え糸から成る実施形態において、人差し指区域２６２の外周周囲に延在する５つの強化リング２２２、および、親指区域２６１の周囲に延在する４つの強化リング２２２が存在してもよい。上記は、一般に切創の危険にさらされる領域において、着用者を保護する。あるいは、手袋２００が異なる数の強化リング２２２を有してもよい。また、強化リング２２２が、追加的に指区域２６３、２６４、２６５に配置されてもよい。
【００８６】
強化用の撚り糸を用いず、地糸２１１のみから成る間隔２０１、２０２で近位に離隔した状態で、比較的小さな強化区域２２０を配置することにより、親指区域２６１および人差し指区域２６２は、高度な柔軟性を有する一方で、高度な切断抵抗特性および／または耐摩耗性を有することが可能となる。上記は親指区域２６１および人差し指区域２６２で特に重要である。
【００８７】
好適な実施形態では、各強化区域２２０は、長さ約６ｍｍ、幅約２ｍｍでもよい。各強化区域２２０の側部間に規則正しく並ぶ、空間があけられた間隔１０１は約１ｍｍでもよく、各リング２２２の間の空間２０２（隣接するリング２２２の強化区域２２０の長手方向端部間の距離）は約３ｍｍでもよい。内側地糸層２１１の生地厚さは約１．０４１４ｍｍでもよく、各強化区域２２０の生地厚さは約１．２７０ｍｍでもよい。
【００８８】
保護手袋および保護手袋の製造方法が先に記載されている。本発明の範囲を逸脱することなく、様々な変更が本発明になされてもよい。実施形態の上記説明および本発明の最良の態様は、例示の目的のみに提供され、限定を目的としていない。本発明は請求項およびその同等物によって定められる。
【図１】
2017518446.tif 000003
【図２】
2017518446.tif 000004
【図３】
2017518446.tif 000005
【図４】
2017518446.tif 000006
【図５】
2017518446.tif 000007
【図６】
2017518446.tif 000008
【図７】
2017518446.tif 000009
【図８】
2017518446.tif 000010
【図９】
2017518446.tif 000011
【図１０】
2017518446.tif 000012
【図１１】
2017518446.tif 000013
【図１２】
2017518446.tif 000014
【図１３】
2017518446.tif 000015
【図１４】
2017518446.tif 000016
【図１５】
2017518446.tif 000017
【国際調査報告】
2017518446.tif 000018